(57)【要約】      （修正有）【課題】使用目的に合ったものに組み替えることが可能な多用途収納ボックスを提供する。【解決手段】多用途収納ボックス１は、第一の板材２に設けた嵌合突起３と第二の板材４に設けた嵌合突起５とが挿入される嵌合凹部９を第一の板材２と第二の板材４間に収納部６を形成する壁手段７に設ける。壁手段７は、嵌合凹部９が内面に形成された四角柱状の柱部材１０と柱部材１０間に設けられるパネル部材１１とで構成されている。【選択図】図１
0003235236.tif 000002
【実用新案登録請求の範囲】
【請求項１】
少なくとも片面のコーナー部の夫々に嵌合突起が形成された第一の板材と、少なくとも片面のコーナー部の夫々に嵌合突起が形成された第二の板材と、前記第一の板材と前記第二の板材間に介在されて前記第一の板材と前記第二の板材間に収納部を形成する壁手段とからなる多用途ボックスであって、前記第一の板材と第二の板材の一方には収納部に物を出し入れする開口部が形成されているとともに、前記壁手段には前記第一の板材と前記第二の板材に形成された嵌合突起が挿入される嵌合凹部が形成されていることを特徴とする多用途ボックス。
【請求項２】
前記壁手段は前記第一の板材と前記第二の板材に形成された嵌合突起が挿入される嵌合部が内面に形成された柱部材と前記柱部材間に架設されるパネル部材からなる請求項１に記載の多用途ボックス。
【請求項３】
前記嵌合部は、前記嵌合突起の外側の二面に対面する嵌合突起対面部がＶ字状に形成されるとともに、前記嵌合突起対面部の端縁からそれぞれ延設されて前記壁手段の内面に接合される接合部とでＷ字形状に形成されている請求項１又は請求項２のいずれか１項に記載の多用途ボックス。
【考案の詳細な説明】
【技術分野】
【０００１】  本考案は、多用途収納ボックスに関するものである。
【背景技術】
【０００２】  従来の収納ボックスは、分解することができず、多用途用に使用することができないという問題点があった。
【先行技術文献】
【特許文献】
【０００３】
【特許文献１】実用新案登録第３２１３８５８号公報
【考案の概要】
【考案が解決しようとする課題】
【０００４】  本考案は、上記問題点を解消するためになされたものであり、収納ボックスを複数の部材に分解可能に構成し、使用目的に合ったものに組み替えることが可能な多用途収納ボックスを提供することにある。
【課題を解決するための手段】
【０００５】  上記課題を解決するために、本考案の多用途収納ボックスは、少なくとも片面のコーナー部の夫々に嵌合突起が形成された第一の板材と、少なくとも片面のコーナー部の夫々に嵌合突起が形成された第二の板材と、前記第一の板材と前記第二の板材間に介在されて前記第一の板材と前記第二の板材間に収納部を形成する壁手段とからなる多用途ボックスであって、前記第一の板材と第二の板材の一方には収納部に物を出し入れする開口部が形成されているとともに、前記壁手段には前記第一の板材と前記第二の板材に形成された嵌合突起が挿入される嵌合凹部が形成されていることを特徴とする。
又、本考案の多用途収納ボックスにあっては、前記壁手段は前記第一の板材と前記第二の板材に形成された嵌合突起が挿入される嵌合部が内面に形成された柱部材と前記柱部材間に架設されるパネル部材からなることが望ましい。
又、本考案の多用途収納ボックスにあっては、前記嵌合部は、前記嵌合突起の外側の二面に対面する嵌合突起対面部がＶ字状に形成されるとともに、前記嵌合突起対面部の端縁からそれぞれ延設されて前記壁手段の内面に接合される接合部とでＷ字形状に形成されていることが望ましい。
【考案の効果】
【０００６】  本考案の多用途収納ボックスは、少なくとも片面のコーナー部の夫々に嵌合突起が形成された第一の板材と、少なくとも片面のコーナー部の夫々に嵌合突起が形成された第二の板材と、前記第一の板材と前記第二の板材間に介在されて前記第一の板材と前記第二の板材間に収納部を形成する壁手段とからなる多用途ボックスであって、前記第一の板材と第二の板材の一方には収納部に物を出し入れする開口部が形成されているとともに、前記壁手段には前記第一の板材と前記第二の板材に形成された嵌合突起が挿入される嵌合凹部が形成されていることを特徴とするものであるから、収納ボックスとして使用できるとともに、分解して他の部材を使用することで他の用途の使用もできるという効果がある。
又、請求項２のように、前記壁手段は前記第一の板材と前記第二の板材に形成された嵌合突起が挿入される嵌合部が内面に形成された柱部材と前記柱部材間に架設されるパネル部材からなるものは、前記壁手段を交換するだけで収納容積を簡単に変更することができるという効果がある。
又、請求項３のように、前記嵌合部は、前記嵌合突起の外側の二面に対面する嵌合突起対面部がＶ字状に形成されるとともに、前記嵌合突起対面部の端縁からそれぞれ延設されて前記壁手段の内面に接合される接合部とでＷ字形状に形成されているものは、第一の板材及び第二の板材の嵌合突起と壁部材の開口面及び嵌合部を構成する前記嵌合突起対面部の大きさを合わせるだけで壁部材を作ることができるという効果がある。
【図面の簡単な説明】
【０００７】
【図１】図１は、本考案の多用途収納ボックスの分解斜視図。
【図２】図２は、同上の多用途収納ボックスの壁手段の外観斜視図。
【考案を実施するための形態】
【０００８】  以下本考案を実施するための形態について図１及び図２を参照して詳述する。多用途収納ボックス１は、少なくとも片面のコーナー部の夫々に嵌合突起３が形成された第一の板材２と、少なくとも片面のコーナー部の夫々に嵌合突起５が形成された第二の板材４と、第一の板材２と第二の板材４間に介在されて第一の板材２と第二の板材４間に収納部６形成する壁手段７とからなる多用途ボックスであって、第一の板材２と第二の板材４の一方には収納部６に物を出し入れする開口部８が形成されているとともに、壁手段７には第一の板材２と第二の板材４に形成された嵌合突起３、５が挿入される嵌合凹部９が形成されている。
【０００９】  第一の板材２は、紙、段ボールで形成されているが、木質材や合成樹脂であっても構わないものであり、隅部が円弧状に面取りされた四角形に形成されているが、長方形でも構わないものである。又、三角形、五角形、六角形のような多角形でも構わないものである。
【００１０】  嵌合突起３は、紙、段ボールで形成されているが、木質材や合成樹脂であっても構わないものであり、高さが５センチメートルの四角柱に形成されている。
【００１１】  第二の板材４は、紙、段ボールで形成されているが、木質材や合成樹脂であっても構わないものであり、隅部が円弧状に面取りされた第一の板材２と同一の四角形に形成されているが、長方形でも構わないものである。又、三角形、五角形、六角形のような多角形でも構わないものである。
【００１２】  嵌合突起５は、紙、段ボールで形成されているが、木質材や合成樹脂であっても構わないものであり、高さが５センチメートルの四角柱に形成されている。第一の板材２及び第二の板材４に貫通孔を形成し、嵌合突起３、４を一本の棒体で構成しても構わない。
【００１３】  収納部６は、第一の板材２と第二の板材４と壁手段７とで構成される。
【００１４】  多用途収納ボックス１の壁手段７は、第一の板材２と第二の板材４に形成された嵌合突起３、５が挿入される嵌合凹部９が内面に形成された四角柱状の柱部材１０と柱部材１０間に設けられるパネル部材１１とで構成されている。
【００１５】  多用途収納ボックス１の柱部材１０には、支柱蝶番の作用をする連結部材１２が設けられている。連結部材１２は、柱部材１０の外側の二面１０ａに対面する嵌合突起対面部１２ａがＶ字状に形成されるとともに、嵌合突起対面部１２ａの端縁からそれぞれ延設されて壁手段７を構成するパネル部材１１の内面に接合される接合部１２ｂとでＷ字形状に形成されており、嵌合突起対面部１２ａを直角に広げた状態で柱部材７の外面に接着などにより接合される。柱部材１０は、第一の板材２と第二の板材４の対面方向の間隔を維持するものであり、柱部材１０は、第一の板材２と第二の板材４の間隔の長さが必要であるが、連結部材１２は、分割されていても構わないものである。第一の板材２の夫々の嵌合突起３にパネル部材１１を取り付けた柱部材１０の嵌合凹部９を挿入し、第二の板材４夫々の嵌合突起５を柱部材１０の嵌合凹部９に挿入するだけで最もシンプルな収納ボックス１にすることができる。
【００１６】  柱部材１０とパネル部材１１と連結部材１２は、紙、段ボールで形成されているが、木質材や合成樹脂であっても構わないものである。柱部材１０にはパネル部材１１を取り付ける連結部材１２が設けられていて、連結部材１２にパネル部材１１を取り付けると閉じられた収納部６を構成することができ、パネル取付部１３にパネル部材１１を取り付けなければ、開閉することができる収納部６を構成することができるものである。連結部材１２に形成されたパネル取付部１３に対応する取付部１４がパネル部材１１に形成されており、凹凸嵌合や別部材で取り付けられる。
【００１７】  図２に示すように、壁手段１５がパネル部材１６で囲まれて上面視四角形に形成されているものは、連結部材１２をパネル部材１６の内面の各隅部に接合部１２ｂが取り付けられて、第一の板材２と第二の板材４に形成された嵌合突起３、５が挿入される嵌合凹部９が形成されている。
【００１８】  多用途収納ボックス１は、子供からお年寄りまで簡単に組み立てることができ、ごみ箱、玩具などの物を開口部８から出し入れする収納ボックスとして使用可能である。又、上面に開口部を形成していない板材を配設することで置台としても使用可能である。
又、トイレ用の袋を装着するとともに便座を装着することでトイレとしても使用可能である。
又、嵌合突起５の上側、嵌合突起３の下側に壁手段７、１６を連結することで、多用途収納ボックス１を種々のものに展開していくことができるものである。
【符号の説明】
【００１９】１  多用途収納ボックス
２  第一の板材
３  嵌合突起
４  第二の板材
５  嵌合突起
６  収納部
７  壁手段
８  開口部
９  嵌合凹部
【図１】
0003235236.tif 000003
【図２】
0003235236.tif 000004